(57)【要約】【課題】コンピュータシステムから取り外し可能なケーブルアームブラケットを提供する。【解決手段】第１の端部３０２ａと、第１の端部３０２ａと実質的に反対側にある第２の端部３０２ｂとを有する本体３０２、本体の第１の端部３０２ａに取り付けられたケーブルガイド３０４、本体の第２の端部３０２ｂにある少なくとも２つの開口３０８、および第１の端部３０２ａおよび第２の端部３０２ｂを有する本体３０２に接続され、実質的に第１の端部３０２ａの反対側にあり、且つ本体３０２の第２の端部３０２ｂの上方にあるスプリングシート３１０を含み、スプリングシート３１０は、第２の端部３０２ｂにリッジ３１４を有し、スプリングシート３１０が第１の位置にあるとき、少なくとも２つの開口３０８の少なくとも１つの開口３０８の少なくとも一部を塞ぎ、スプリングシート３１０は、リッジ３１４が少なくとも１つの開口の少なくとも一部を塞がないように、第２の位置に付勢するように構成されるケーブルアームブラケット３００。【選択図】図３Ａ
2020161122.tif 000002
【特許請求の範囲】
【請求項１】
第１の端部と、前記第１の端部と実質的に反対側にある第２の端部とを有する本体、
前記本体の前記第１の端部に取り付けられたケーブルガイド、
前記本体の前記第２の端部にある少なくとも２つの開口、および
第１の端部および第２の端部を有する前記本体に接続され、実質的に前記第１の端部の反対側にあり、且つ前記本体の前記第２の端部の上方にあるスプリングシートを含み、前記スプリングシートは、第２の端部にリッジを有し、前記スプリングシートが第１の位置にあるとき、前記少なくとも２つの開口の少なくとも１つの開口の少なくとも一部を塞ぎ、
前記スプリングシートは、前記リッジが前記少なくとも１つの開口の前記少なくとも一部を塞がないように、第２の位置に付勢するように構成されるケーブルアームブラケット。
【請求項２】
前記スプリングシートは、前記スプリングシートの前記第１の端部が前記本体に向かって移動されるとき、前記第２の位置に付勢するように構成される請求項１に記載のケーブルアームブラケット。
【請求項３】
前記スプリングシートは、前記本体に接触する支点を有し、且つ前記支点は、前記本体に向かう前記スプリングシートの前記第１の端部の第１の動作を、前記本体から離れる前記スプリングシートの前記第２の端部の第２の動作に変換する請求項２に記載のケーブルアームブラケット。
【請求項４】
前記少なくとも２つの開口の各開口は、大きい開口と小さい開口の結合を含み、且つ前記少なくとも１つの開口の前記少なくとも一部は、前記大きい開口部である請求項１に記載のケーブルアームブラケット。
【請求項５】
前記スプリングシートは、前記スプリングシートを前記本体に固定するタブを含み、且つ前記スプリングシートを前記第１の位置に戻すばね力を提供する請求項１に記載のケーブルアームブラケット。
【請求項６】
前記リッジは、前記スプリングシートが前記第１の位置にあるとき、前記少なくとも２つの開口の少なくとも一部を塞ぐ請求項１に記載のケーブルアームブラケット。
【請求項７】
２つの突出部を有するコンピュータシステムのインナーレール、および
第１の端部と、前記第１の端部と実質的に反対側にある第２の端部とを有する本体と、
前記本体の前記第１の端部に取り付けられたケーブルガイドと、
前記本体の第２の端部にある２つの開口であって、前記２つの突出部の各突出部が前記２つの開口のそれぞれの開口を貫通して延伸することができるように構成された２つの開口と、
前記本体に接続され、第１の端部と、実質的に前記第１の端部の反対側にあり、且つ前記本体の前記第２の端部の上方にある第２の端部を有し、前記第２の端部にリッジを有するスプリングシートと、を有するケーブルアームブラケットを含み、
前記リッジは、前記ケーブルアームブラケットが前記インナーレールおよび前記スプリングシートと第１の位置で嵌合したとき、前記２つの突出部が前記２つの開口から取り外されるのを少なくとも部分的に塞ぐように構成され、且つ前記リッジは、前記ケーブルアームブラケットが前記インナーレールおよび前記スプリングシートと第２の位置で嵌合したとき、前記リッジは、前記２つの開口から前記２つの突出部を取り外すように構成されるケーブルアームブラケットシステム。
【請求項８】
前記２つの開口のそれぞれは、小さい開口部と併合された大きい開口部を含み、
前記ケーブルアームブラケットは、前記２つの突出部が前記小さい開口部内に保持されている第１のブラケットの位置と、前記２つの突出部が前記大きい開口部内に保持されている第２のブラケットの位置との間の前記インナーレールに対してスライドするように構成される請求項７に記載のケーブルアームブラケットシステム。
【請求項９】
前記小さい開口部は、前記ケーブルアームブラケットが前記第１のブラケットの位置にあるとき、前記２つの突出部が前記２つの開口から取り外されるのを少なくとも部分的に塞ぐようにサイズ決めされる請求項８に記載のケーブルアームブラケットシステム。
【請求項１０】
前記大きい開口部は、前記ケーブルアームブラケットが前記第２のブラケットの位置にあるとき、前記２つの突出部を前記２つの開口から引き出すことができるようにサイズ決めされる請求項８に記載のケーブルアームブラケットシステム。
【発明の詳細な説明】
【技術分野】
【０００１】
本出願は、３５Ｕ.Ｓ.Ｃ.§１１９の下、２０１９年３月２６日に出願された米国仮特許出願番号第６２／８２４０２１号「ＣＡＢＬＥ ＡＲＭ ＬＯＣＫ ＷＡＹ ＡＰＰＬＩＣＡＴＩＯＮ ＡＴ ＳＥＲＶＥＲ」からの優先権を主張するものであり、これらの全ては引用によって本願に援用される。
【０００２】
本発明は、コンピュータシステム内のケーブル管理に関するものであり、特に、取り外し可能なケーブルガイドに関するものである。
【背景技術】
【０００３】
コンピュータシステムは、シャーシの外側に多くのケーブルを有する。特に、サーバーコンピュータシステムは、多くの異なるケーブルを備えた多くの個別のサーバーのラックを有する。エアフローと全体的な設計効率を改善する、適切なケーブルの管理が必要である。ケーブル管理の一部には、コンピュータシステムを通線するケーブルの配索が含まれる。コンピュータシステムには、目的のケーブル配索経路に従ってケーブルを固定するために用いられるケーブルガイドがあり、ケーブルがコンピュータシステムにランダムに配線されないようにする。
【０００４】
図１は、コンピュータシステム内でケーブルを配索するための従来のケーブルアームブラケット１００を示している。ブラケット１００は、インナーレール１０２の第１の端部１０２ａに固定されている。ブラケット１００はインナーレール１０２に固定されているため、ブラケット１００を取り外すことはできない。ブラケット１００を取り外すことができないということは、特に、ケーブルの配線および他のコンポーネントを接続するためのスペースが少ないコンピュータシステムにおいて、問題が生じる可能性がある。このような問題は、コンピュータシステム内およびその周辺の要素の配置、追加コストなどに関して柔軟性に欠けることがある。
【０００５】
例えば、図２は、コンピュータシステム２００の部分図を示しており、ブラケット１００は、電源ラッチ２０２とコンピュータシステム２００との接続を干渉する。図２の実施形態では、ケーブルの配索にブラケット１００を用いるのではなく、電源ラッチ２０２をコンピュータシステム２００に接続することが望ましい場合がある。しかしながら、ブラケット１００は取り外しできないため、ブラケット１００をインナーレール１０２から取り外す選択肢はない。
【０００６】
従って、コンピュータシステムから取り外し可能なケーブルアームブラケットが必要である。
【先行技術文献】
【特許文献】
【０００７】
【特許文献１】特開２０１９−３７１１７号公報
【発明の概要】
【発明が解決しようとする課題】
【０００８】
コンピュータシステムから取り外し可能なケーブルアームブラケットを提供する。
【課題を解決するための手段】
【０００９】
本開示の一実施形態による、第１の端部と、第１の端部と実質的に反対側にある第２の端部とを有する本体を含むケーブルアームブラケットが開示される。ケーブルアームブラケットは、本体の第１の端部に取り付けられたケーブルガイドをさらに含む。ケーブルアームブラケットは、本体の第２の端部に少なくとも２つの開口をさらに含む。ケーブルアームブラケットは、第１の端部および第２の端部を有する本体に接続されたスプリングシートも含む。第２の端部は、実質的に第１の端部の反対側にあり、且つ本体の第２の端部の上方にある。スプリングシートは、第２の端部にリッジを有し、スプリングシートが第１の位置にあるとき、少なくとも２つの開口の少なくとも１つの開口の少なくとも一部を塞ぐ。スプリングシートは、リッジが少なくとも１つの開口の少なくとも一部を塞がないように、第２の位置に付勢するように構成される。
【００１０】
実施形態の態様によれば、スプリングシートは、スプリングシートの第１の端部が本体に向かって移動されるとき、第２の位置に付勢するように構成される。追加の形態によれば、スプリングシートは、本体に接触する支点を有し、且つ支点は、本体に向かうスプリングシートの第１の端部の第１の動作を、本体から離れるスプリングシートの第２の端部の第２の動作に変換する。またさらなる態様は、少なくとも２つの開口の各開口は、大きい開口と小さい開口の結合を含む。追加の態様は、少なくとも１つの開口の少なくとも一部は大きい開口部であることを含む。さらなる態様は、スプリングシートを本体に固定するタブを有するスプリングシートを含み、スプリングシートを第１の位置に戻すばね力を提供する。さらに追加の態様は、スプリングシートが第１の位置にあるとき、少なくとも２つの開口の少なくとも一部を塞ぐリッジを含む。
【００１１】
もう１つの実施形態によれば、コンピュータシステムのインナーレールおよびケーブルアームブラケットを含むケーブルアームブラケットシステムが開示される。インナーレールは２つの突出部を有する。ケーブルアームブラケットは、第１の端部と、第１の端部と実質的に反対側にある第２の端部とを有する本体を有する。ケーブルアームブラケットは、本体の第１の端部に取り付けられたケーブルガイドをさらに有する。２つの開口が本体の第２の端部に形成され、２つの突出部の各突出部が２つの開口のそれぞれの開口を貫通して延伸することができるように構成される。ケーブルアームブラケットは、本体に接続されたスプリングシートをさらに有する。スプリングシートは、第１の端部と第２の端部を有する。第２の端部は、実質的に第１の端部の反対側にあり、且つ本体の第２の端部の上方にある。スプリングシートも第２の端部にリッジを有する。リッジは、ケーブルアームブラケットがインナーレールおよびスプリングタブと第１の位置で嵌合したとき、２つの突出部が２つの開口から取り外されるのを少なくとも部分的に塞ぐように構成される。リッジは、ケーブルアームブラケットがインナーレールおよびスプリングシートと第２の位置で嵌合したとき、リッジは、２つの開口から２つの突出部を取り外すようにさらに構成される。
【００１２】
実施形態の態様によれば、２つの開口の各開口は、大きい開口部と小さい開口部を含む。２つの突出部は、ケーブルアームブラケットがインナーレールおよびスプリングシートと第１の位置で嵌合したとき、小さい開口部内に保持される。さらなる態様によれば、ケーブルアームブラケットは、２つの突出部が小さい開口部内に保持されている第１のブラケットの位置と、２つの突出部が大きい開口部内に保持されている第２のブラケットの位置との間のインナーレールに対してスライドするように構成される。さらなる態様によれば、小さい開口部は、ケーブルアームブラケットが第１のブラケットの位置にあるとき、２つの突出部が２つの開口から取り外されるのを少なくとも部分的に塞ぐようにサイズ決めされる。さらなる態様は、Ｔピンである２つの突出部を含む。さらに追加の態様は、本体を貫通する開口である２つの開口を含む。さらなる態様は、ケーブルアームブラケットが第２のブラケットの位置にあるとき、２つの突出部を２つの開口から引き出すことができるようにサイズ決めされた大きい開口部を含む。
【００１３】
上述した概要は、本開示の各実施形態又は全ての態様を表すことを意図するものではない。むしろ、上述した概要は、本明細書に記載された新規な態様及び特徴のいくつかの例を提供するに過ぎない。本開示の上述した特徴及び利点、並びに、他の特徴及び利点は、添付の図面及び添付の特許請求の範囲と関連して、本発明を実施するための代表的な実施形態及び態様についての以下の詳細な説明から容易に明らかとなるであろう。
【図面の簡単な説明】
【００１４】
本開示、ならびにその利点および図面は、例示的な実施形態の以下の説明および添付の図面からよりよく理解されるであろう。これらの図面は、例示的な実施形態のみを示しており、従って、さまざまな実施形態または特許請求の範囲を限定するものと見なされるべきではない。
【図１】従来のケーブルアームブラケットを示している。
【図２】図１の従来のケーブルアームブラケットを含むコンピュータシステムの一部を示している。
【図３Ａ】本開示の一実施形態による、取り外し可能なケーブルアームブラケットの斜視図を示している。
【図３Ｂ】本開示の実施形態による、図３Ａの取り外し可能なケーブルアームブラケットの底面図を示している。
【図３Ｃ】本開示の実施形態による、図３Ａの取り外し可能なケーブルアームブラケットの上面図を示している。
【図３Ｄ】本開示の実施形態による、図３Ａの取り外し可能なケーブルアームブラケットの側面図を示している。
【図４】本開示の一実施形態による、図３の取り外し可能なケーブルアームブラケットとコンピュータシステムのインナーレールの接続を示している。
【図５Ａ】本開示の実施形態による、図３の取り外し可能なケーブルアームブラケットを図４のインナーレールに取り付けるための１つのステップの上面図を示している。
【図５Ｂ】本開示の一実施形態による、図３の取り外し可能なケーブルアームブラケットを図４のインナーレールに取り付けるための図５Ａのステップの側面図を示している。
【図５Ｃ】本開示の一実施形態による、図３の取り外し可能なケーブルアームブラケットを図４のインナーレールに取り付けるためのステップの上面図を示している。
【図５Ｄ】本開示の一実施形態による、図３の取り外し可能なケーブルアームブラケットを図４のインナーレールに取り付けるためのステップの側面図を示している。
【図６Ａ】本開示の一実施形態による、図３の取り外し可能なケーブルアームブラケットを図４のインナーレールから取り外すためのステップの上面図を示している。
【図６Ｂ】本開示の一実施形態による、図４の取り外し可能なケーブルアームブラケットを図４のインナーレールから取り外すためのステップの側面図を示している。
【図６Ｃ】本開示の一実施形態による、図３の取り外し可能なケーブルアームブラケットを図４のインナーレールから取り外すためのステップの上面図を示している。
【発明を実施するための形態】
【００１５】
添付の図面を参照しながらさまざまな実施形態を説明するが、同様の参照番号は全体を通して同様の、または同一の要素を示すのに用いられる。図面は、本発明を説明するためのものであり、縮尺通りに描かれるとは限らない。多数の特定の詳細、関係、および方法が本発明の完全な理解を提供するために明記されていることは理解すべきである。しかしながら、当業者には、本発明は、これらの特定の詳細なしに、または他の方法を用いて行い得ることは容易に理解できるであろう。その他の実施形態において、従来公知の構造または操作は、本発明が曖昧にならないようにするため、詳述されていない。さまざまな実施形態は、描かれた動作またはイベントの順序に限定されるものではなく、いくつかの動作は、異なる順序および／またはその他の動作またはイベントと同時に起こり得る。また、全ての描かれた動作またはイベントにより本発明に基づいた方法を実現する必要があるわけではない。
【００１６】
その範囲において、例えば、概要、要約及び詳細な説明で開示されているが、特許請求の範囲に明記されていない要素及び制限は、含意、推論若しくは他の方式によって単独又は集合的に特許請求の範囲に組み込まれるべきではない。詳細な説明の目的のために、特に断りのない限り、単数は複数を含み、その逆も同様である。「含む」という用語は、「制限なしに含む」ことを意味する。また、例えば、「約（ａｂｏｕｔ）」、「ほとんど（ａｌｍｏｓｔ）」、「実質的に（ｓｕｂｓｔａｎｔｉａｌｌｙ）」、「おおよそ（ａｐｐｒｏｘｉｍａｔｅｌｙ）」等の近似の用語は、ここでは、例えば「…で（ａｔ）、…近くで（ｎｅａｒ）、…に近接して（ｎｅａｒｌｙ ａｔ）」、「…の３〜５％内で」、「製造誤差の許容範囲内で」、又は、これらの任意の論理的組み合わせの意味を含むことができる。
【００１７】
本開示に関して、「コンピューティングデバイス」または「コンピューティングシステム」または「コンピュータシステム」という用語は、ハードウェア、ソフトウェア、および／またはファームウェアコンポーネントを備えた任意の電子駆動またはバッテリー駆動の機器を指しており、ソフトウェアおよび／またはファームウェアのコンポーネントは、デバイス上の特徴を操作するように構成されることができる。「オペレーティング環境」という用語は、コンピュータシステム上でソフトウェアを実行できるように機能する任意のオペレーティングシステムまたは環境を指すことができる。
【００１８】
本開示は、コンピュータシステムから取り外すことができるケーブルアームブラケットについて説明する。本開示のブラケットは、ケーブル管理に必要なときにコンピュータシステムに結合されることができ、不要なときにコンピュータシステムから取り外されることができる。これにより、より多くのスペースが必要に応じてコンピュータシステム内で使用可能になる。ブラケットは、工具を必要とせずにコンピュータシステムのインナーレールにロックおよびロック解除されることできる。ツールなしでブラケットを取り外す能力は、従来のケーブルアームブラケットよりもより優れたケーブル管理の柔軟性を提供する。
【００１９】
図３Ａは、本開示の一実施形態による、取り外し可能なケーブルアームブラケットの斜視図を示している。ブラケット３００は、コンピュータシステムのケーブル配索などのケーブル管理に用いられることができる。ブラケット３００は、本体３０２を含む。本体３０２は、コンピュータシステムコンポーネントに用いられる１つまたは複数の材料、例えば１つまたは複数のプラスチックおよび／または１つまたは複数の金属などで形成されることができる。本体３０２は、従来のケーブルアームブラケットと同様のサイズにすることができる。また、本体３０２は、従来のケーブルアームブラケットよりも大きく、例えばより長くすることができる。ブラケット３００は取り外し可能なため、本体３０２は、コンピュータシステムの異なる長さの要件に応じて異なる長さにすることができる。
【００２０】
ケーブルガイド３０４は、本体３０２の第１の端部３０２ａから延伸している。１つ以上の実施形態では、ケーブルガイド３０４は、コンピュータシステムのケーブルを受け入れて保持するように構成された実質的にＴ型の領域３０６を画定する。ケーブルガイド３０４は実質的にＣ型の構造、または使用可能なケーブルガイド３０４用の構造を形成するが、これらの開示された構造を限定するものではない。
【００２１】
本体３０２の第２の端部３０２ｂ（第１の端部３０２ａと実質的に反対側にある）には、開口３０８がある。以下に詳述するように、開口３０８は、実質的にインナーレールの突出部とインターフェイスで連結する（ｉｎｔｅｒｆａｃｅ ｗｉｔｈ）ように構成され、ブラケット３００をインナーレールに固定する。２つの開口３０８が示されているが、ブラケット３００のサイズに応じて、２つ以上の開口３０８であってもよい。
【００２２】
１つ以上の実施形態では、本体３０２は、突出側３０２ｃを含むことができる。突出側３０２ｃは、本体３０２の周囲全体に沿うことができ、または第２の端部３０２ｂを除いた本体３０２の周囲に沿うことができる。
【００２３】
図３Ｂに示すように、本開示の一実施形態による、開口３０８をさらに示しているブラケット３００の底面図が示されている。図４〜図６に関して以下により詳細に説明する。開口３０８は、ブラケット３００をインナーレール（例えば、図１のインナーレール１０２）に取り外し可能に固定させることができる。１つ以上の実施形態では、図３Ｂの拡大図に示されるように、開口３０８は、実質的に互いに接合された２つの開口部３０８ａおよび３０８ｂの形状を有する。第２の開口部３０８ｂは、第１の開口部３０８ａよりも大きい。より具体的には、第２の開口部３０８ｂは、インナーレール上の突出部が第２の開口部３０８ｂを通って嵌合することができる大きさである。第１の開口部３０８ａは、突出部の少なくとも一部が第１の開口部３０８ａを通って嵌合することができない大きさである。
【００２４】
１つ以上の実施形態では、開口３０８は、実質的に本体３０２を貫通し、本体３０２に囲まれた円形の開口として示されているが、本体３０２の縁部に延伸するスロットに置き換えて、スロットが、本体３０２の第２の端部３０２ｂで開放しているようにすることもできる。開口３０８が代わりに開放端のスロットとして構成されたとき、ブラケット３００をインナーレールに嵌合させる方法はわずかに異なる可能性がある。例えば、ブラケット３００がインナーレールと垂直に嵌合される代わりに（図４に示すように）、ブラケット３００は、代わりにインナーレールと水平方向に嵌合する可能性がある。しかしながら、ブラケット３００をインナーレールに固定またはロックする方法は同じままでよい。
【００２５】
図３Ａに再度示すように、また、図３Ｃのブラケット３００の上面図にも示されるように、ブラケット３００は、スプリングシート３１０をさらに含む。スプリングシート３１０の第１の端部３１０ａは、スプリングシート３１０が第１の位置の静止位置にあるとき（例えば、外部から負荷がかかっていないとき）、本体３０２から上方に離れて延伸する。実質的に第１の端部３１０ａと反対にあるスプリングシート３１０の第２の端部３１０ｂは、第１の位置にあるとき、スプリングシート３１０が本体３０２に接触する点３１０ｃからほぼ水平に延伸する。スプリングシート３１０は、スプリングシート３１０を本体３０２に固定するタブ３１２をさらに含む。スプリングシート３１０から力が取り除かれた後、タブ３１２もスプリングシート３１０内に付勢力を生成し、スプリングシート３１０を図３Ａ〜図３Ｄに示された第１の位置に戻す。
【００２６】
図３Ｄは、本開示の一実施形態によるブラケット３００の側面図であり、本体３０２は、スプリングシート３１０をよりよく表示するために半透明である。スプリングシート３１０の第２の端部３１０ｂには、リッジ３１４がある。リッジ３１４は、スプリングシート３１０が第１の位置にあるとき、開口３０８（図３Ｃ）と部分的に位置合わせされ、且つ部分的に塞ぐように構成される。より具体的には、スプリングシート３１０が第１の位置にあるとき、リッジ３１４は、開口３０８の第２の開口部３０８ｂを塞ぐ。従って、以下、図４〜図６Ｃを参照にさらに説明する。スプリングシート３１０が第１の位置にあるとき、リッジ３１４は、開口３０８内のインナーレールの突出部をロックする。
【００２７】
上述のように、スプリングシート３１０の第１の端部３１０ａは、支点として作用する点３１０ｃでスプリングシート３１０の第２の端部３１０ｂと結合する。第１の端部３１０ａを矢印Ａ１の方向に本体３０２に向かって押すと、第２の端部３１０ｂを本体３０２から矢印Ａ２の方向に移動させる。第２の端部３１０ｂは本体３０２から離れ、リッジ３１４も本体３０２から離れさせ、リッジ３１４が再び開口３０８を部分的に塞ぐことがないように位置付けする。
【００２８】
図４に示すように、本開示の一実施形態による、ブラケット３００をインナーレール１０２と嵌合させる垂直運動が示されている。インナーレール１０２は、２つの突出部４００を含む。より具体的には、拡大図に示されるように、突出部４００はＴピンである。各Ｔピン４００は、ブラケット３００をインナーレール１０２に固定する補助をする、シャフト４００ｂよりも広いヘッド４００ａを有する。具体的には、開口３０８の第２の開口部３０８ｂ（図３Ｂ）およびＴピン４００のヘッド４００ａは、Ｔピン４００のヘッド４００ａが第２の開口部３０８ｂを貫通して延伸することができるサイズである。また、開口３０８の第１の開口部３０８ａおよびＴピン４００のヘッド４００ａは、ヘッド４００ａが第１の開口部３０８ａ（図３Ｂ）を貫通して嵌合することができないサイズである。Ｔピン４００のシャフト４００ｂは、シャフト４００ｂが第１の開口部３０８ａ内に嵌合することができるサイズである。Ｔピン４００のシャフト４００ｂは、シャフト４００ｂが第１の開口部３０８ａ内に適合することができるようなサイズにされている。開口３０８およびＴピン４００の形状およびサイズは、開口３０８内にＴピン４００を固定し、且つブラケット３００をインナーレール１０２に固定する補助をする。破線に示されるように、ブラケット３００の開口３０８はＴピン４００と位置合わせされている。次いで、ブラケット３００をインナーレール１０２と垂直に接触させて、Ｔピン４００が開口３０８内に上方に延伸するようにする。
【００２９】
Ｔピンとして図示および説明されているが、突出部４００は、例えばＬピン、釘、ねじ、ボルトなど、さまざまな他の突出部であることができる。さらに、開口３０８がスロットに置き換えられる実施形態では、ブラケット３００は、スロットの開放端に突出部４００をスライドさせることにより、代わりにインナーレール１０２と水平に接触させることができる。さらに、スロットの幅は、Ｔピン４００のシャフト４００ｂの直径より大きく、Ｔピン４００のヘッド４００ａの直径よりも小さいことができ、Ｔピン４００をスロットに保持する補助をする。
【００３０】
図５Ａ〜図５Ｄは、本開示の実施形態による、ブラケット３００をインナーレール１０２に固定するステップを示している。図５Ａに示すように、ブラケット３００は、図４に示されるように、インナーレール１０２と嵌合した後に開始する。Ｔピン４００は、ブラケット３００がインナーレール１０２と嵌合した後、開口３０８の第２の開口部３０８ｂ（図３Ｂ）を貫通して延伸する。
【００３１】
図５Ｂに示すように、Ｔピン４００は開口３０８を貫通して延伸し、ヘッド４００ａの頂部はリッジ３１４に当接する。従って、Ｔピン４００は、リッジ３１４およびスプリングシート３１０の第２の端部３１０ｂを、本体３０２に対して付勢させ、矢印Ａ３の方向に第１の位置から第２の位置に入る。スプリングシート３１０の第２の位置は、リッジ３１４が開口３０８を塞ぐことがないようにしている。
【００３２】
図５Ｃに示すように、次いで、ブラケット３００は、矢印Ａ４の方向にインナーレール１０２を横切ってスライドされる。これは、Ｔピン４００を、開口３０８内の第１の円形の開口部３０８ａに前進させる。同時に、スプリングシート３１０内のタブ３１２は、図５Ｄの矢印Ａ５で示されるように、スプリングシート３１０の第２の端部３１０ｂを本体３０２の第２の端部３０２ｂに向かって付勢させる。スプリングシート３１０の第２の端部３１０ｂの付勢作用は、リッジ３１４を本体３０２に接触させ、且つＴピン４００を開口３０８内にロックさせる。リッジ３１４の反対側のリッジ３１４内の第１の円形の開口部３０８ａ内にあるＴピン４００は、実質的にＴピン４００をブラケット３００にロックし、従って、ブラケット３００をインナーレール１０２にロックする。
【００３３】
図６Ａ〜図６Ｃは、本開示の実施形態による、インナーレール１０２からブラケット３００を取り外すためのステップを示している。図６Ａ〜図６Ｃに示されるステップは、実質的に図５Ａ〜図５Ｄに示されたステップの反対のステップである。図６Ａに示すように、ブラケット３００は、図５Ｃに示されるように、最初にインナーレール１０２に取り付けられ、ブラケット３００はインナーレール１０２に対して第１のブラケットの位置にある。Ｔピン４００は第１の開口部３０８ａにあり、リッジ３１４は反対側にあり、実質的にＴピン４００をブラケット３００にロックする。
【００３４】
図６Ｂに示すように、矢印Ａ５の方向にスプリングシート３１０の端部３１０ａに力が加えられる。矢印Ａ６の方向にスプリングシート３１０の端部３１０ｂに、反対の力が発生され、これにより、スプリングシート３１０を第１の位置から第２の位置に付勢される。具体的には、スプリングシート３１０の第２の端部３１０ｂは、本体３０２の第２の端部３０２ｂから離れて延伸する。この作用により、リッジ３１４が解放され、第１の円形の開口部３０８ａ（図３Ｂ）に対してＴピン４００がロックされなくなり、リッジ３１４がＴピン４００を再び塞ぐことがなくなる。
【００３５】
図６Ｃに示すように、ブラケット３００は、次いで、矢印Ａ７の方向に第１のブラケットの位置から第２のブラケットの位置にインナーレール１０２を横切ってスライドされることができる。これは、Ｔピン４００を開口３０８内の第２の円形の開口部３０８ｂに前進させる。次いで、ブラケット３００は、図４に示された垂直方向のように、実質的に反対方向に持ち上げることにより、インナーレール１０２から取り外されることができる。 Ｔピン４００は、第２の開口部３０８ｂを通過して開口３０８から引き出される。
【００３６】
本開示のケーブルアームブラケットは、取り外し可能であることにより、従来のケーブルアームブラケットに勝る利点を有する。従って、本開示のブラケットは、ケーブル管理が必要なときにはコンピュータシステムに結合されることができ、不要なときにはコンピュータシステムから取り外されることができる。これは、必要に応じてコンピュータシステム内でより多くのスペースが使用できるようになる上述のブラケットも従来のブラケットのようにコンピュータシステム内に同じスペースを必要とし、取り付けまたは取り外し用のツールも必要としない。また、本開示のブラケットは取り外し可能であるため、スペース要件およびコンピュータシステム内のニーズに応じて、異なるサイズのブラケットを用いることができる。
【００３７】
本発明の様々な実施形態について上述したが、それらは限定ではなく例として提示されたものであることを理解されたい。本発明の趣旨又は範囲から逸脱することなく、開示された実施形態に対する多数の変更を、本明細書の開示に従って行うことができる。従って、本発明の幅及び範囲は、上記の実施形態の何れかによって限定されるべきではない。むしろ、本発明の範囲は、添付の特許請求の範囲及びその均等物に従って定義されるべきである。
【００３８】
本発明を１つ以上の実施形態に関して詳細に述べてきたが、本明細書および図式を読み理解する際に他の当業者により等価な修正および変更が生じ得る。また、本発明の特定の特徴は、複数の実施法案の１つだけに関連して述べられているが、このような特徴は、付与の、または特定の応用に必要で利点がある１つ以上の他の実施法案の他の特徴と組み合わせられてもよい。
【００３９】
本明細書で使用する用語は、特定の実施形態のみを説明するものであって、本発明を限定するものではない。本明細書では、単数形の「一つの（ａ）」、「一つの（ａｎ）」及び「その（ｔｈｅ）」は、文脈によって他の明確な指示がされない限り、複数形も含む。さらに、「含む」、「有する」又はこれらの変形は、詳細な説明及び／又は特許請求の範囲で使用される限りにおいて、「備える」という用語と同様に包括的であることが意図される。
【００４０】
特に定義されない限り、本明細書で使用される全ての用語（技術的及び科学的用語を含む）は、当業者によって一般的に理解されるのと同じ意味を有する。さらに、一般的に使用される辞書に定義されているような用語は、関連技術の文脈における意味と一致する意味を有するものと解釈されるべきであり、本明細書で明示的に定義されていない限り、理想化された又は過度に形式的な意味で解釈されない。
【符号の説明】
【００４１】
１００、３００  ブラケット
１０２  インナーレール
１０２ａ、３０２ａ、３１０ａ  第１の端部
２００  コンピュータシステム
２０２  電源ラッチ
３０２  本体
３０２ｂ、３１０ｂ  第２の端部
３０２ｃ  突出側
３０４  ケーブルガイド
３０６  Ｔ型の領域
３０８  開口
３０８ａ  第１の開口部
３０８ｂ  第２の開口部
３１０  スプリングシート
３１０ｃ  点
３１２  タブ
３１４  リッジ
４００  突出部（Tピン）
４００ａ  ヘッド
４００ｂ  シャフト
Ａ１、Ａ２、Ａ３、Ａ４、Ａ５、Ａ６、Ａ７  矢印
【図１】
2020161122.tif 000003
【図２】
2020161122.tif 000004
【図３Ａ】
2020161122.tif 000005
【図３Ｂ】
2020161122.tif 000006
【図３Ｃ】
2020161122.tif 000007
【図３Ｄ】
2020161122.tif 000008
【図４】
2020161122.tif 000009
【図５Ａ】
2020161122.tif 000010
【図５Ｂ】
2020161122.tif 000011
【図５Ｃ】
2020161122.tif 000012
【図５Ｄ】
2020161122.tif 000013
【図６Ａ】
2020161122.tif 000014
【図６Ｂ】
2020161122.tif 000015
【図６Ｃ】
2020161122.tif 000016